(57)【要約】【課題】  断熱性及び遮音性に優れた床板材を開発する。【解決手段】  内部に中空部を有する中空板材の上面に、背面に多数のスリット溝を形成した木質板を積層する。木質板にスリット溝を設けることで、柔軟性が増し、衝撃や振動を吸収しやすくなり、下層の中空板材のクッション性との相乗効果により、遮音効果が向上する。また、中空板材は内部に中空部を有するので、断熱性にも優れたものとなる。【選択図】      図１
2006009263.tif 000002
【特許請求の範囲】
【請求項１】
内部に中空部を有する中空板材の上面に、背面に多数のスリット溝を形成した木質板を積層したことを特徴とする床板材。
【請求項２】
前記中空板材が、その板面と平行に複数の貫通する中空部を並設したもの、又はハニカム状板材である請求項１の床板材。
【請求項３】
床本体の上に、内部に中空部を有する中空板材を設け、更にその上に背面に多数のスリット溝を形成した木質板を設けたことを特徴とする床構造。
【請求項４】
前記中空板材が、その板面と平行に複数の貫通する中空部を並設したもの、又はハニカム状板材である請求項１の床構造。
【発明の詳細な説明】
【技術分野】
【０００１】
本発明は、コンクリートスラブなどの床本体に貼付する床板材、及び建築物の床の構造に関する。
【背景技術】
【０００２】
例えば集合住宅などの床本体（コンクリートスラブなど）に貼付する床板材としては、騒音が階下に伝わりにくいための遮音性、冷暖房が効率よく行えるような断熱性が求められる。下記の特許文献１には、遮音性及び断熱性に配慮した床板材が開示されている。この床板材は、板面に平行して多数の孔を並設したプラスチック板の片面に板材を接着したものである。
【特許文献１】実開昭６０−２６８３１号公報
【発明の開示】
【発明が解決しようとする課題】
【０００３】
上記従来の床板材は、断熱性には優れるものの、遮音性は満足できるものではなかった。本発明は、上記従来の床板材の遮音性を向上させることを課題としてなされたものである。
【課題を解決するための手段】
【０００４】
本発明は、内部に中空部を有する中空板材の上面に、背面に多数のスリット溝を形成した木質板を積層したことを特徴とする床板材である。
【０００５】
また本発明は、床本体の上に、内部に中空部を有する中空板材を設け、更にその上に背面に多数のスリット溝を形成した木質板を設けたことを特徴とする床構造である。
【０００６】
木質板にスリット溝を設けることで、柔軟性が増し、衝撃や振動を吸収しやすくなり、下層の中空板材のクッション性との相乗効果により、遮音効果が向上する。スリット溝の平均間隔は２０ｍｍ以下とするのが良く、更に好ましくは１５ｍｍ以下である。スリット溝の深さ（ｔ）は、木質板の厚さ（Ｔ）に対して、
Ｔ−ｔ＝２．５〜４ｍｍ
とするのがよい。Ｔ−ｔが２．５ｍｍよりも小さいと木質板の強度が著しく低下し、取り扱いが不便となり、４ｍｍよりも大きいと遮音効果が低下する。
【発明の効果】
【０００７】
本発明の床板材は、断熱性及び遮音性に優れるので、これをコンクリートスラブなどの床本体に直に貼付しても、冷暖房の効率が良く、また階下に騒音が伝わりにくく、快適な住環境を実現できる。
【０００８】
本発明の床構造は、二重床構造ではなく直貼り構造でありながら、冷暖房の効率が良く、また階下に騒音が伝わりにくく、低コスト・短工期で施工することができる。
【発明を実施するための最良の形態】
【０００９】
本発明において、木質板は、合板、パーティクル板（木材を砕いたものをバインダーで固めて成形した板）又はこれらの組み合わせで、例えば、表面に化粧合板を積層したいわゆるフローリング板とすることができる。
【００１０】
本発明において、中空板材は、その板面と平行に複数の貫通する中空部を並設したもの、又はハニカム状板材とすることができる。また中空板材は、例えば材質をポリプロピレンなどのプラスチック製とすることができる。これらの中空材は、内部の中空部により断熱性に優れ、適度のクッション性があって衝撃や振動を吸収する。また、従来普通に用いられている発泡シートのようなクッション材を併用することによって格段の遮音性を確保できる。中空部の厚さは１〜１５ｍｍが好適であり、１ｍｍよりも薄いと断熱性、クッション性が乏しくなり、１５ｍｍよりも厚いと空気の対流が生じて断熱性が悪化する。
【００１１】
本発明において、木質板と中空板材とは直接接着してもよいし、間に他の板材（クッションシートや合板）を介して積層してもよい。また、中空板材の下面にクッションシートを貼付してもよい。中空板材の下面にクッションシートを設けると、コンクリートスラブなどの床本体表面に多少の凹凸が存在しても、クッションシートがこれを吸収し、施工能率がよくなり、仕上がりもきれいになる。クッションシートは、荷重がかかったときの床の沈み込みを防ぐために、厚さ４ｍｍ以下とするのがよい。
【実施例】
【００１２】
以下、図面に基づいて本発明を詳細に説明する。図１は実施例の床板材１の斜視図、図２は床板材１の長さ方向縦断面図、図３は実施例の床板材１’の長さ方向縦断面図、図４は実施例の床板材１”の長さ方向縦断面図、図５は実施例の床構造の断面図、図６は中空板材１０の一部切欠斜視図である。
【００１３】
図１に示す実施例の床板材１は、中空板材２の上面に木質板３を接着して積層した直貼り用のフローリング材で、大きさは例えば１４５ｍｍ×９０９ｍｍとすることができる。中空板材２は、ポリプロピレン製で、押出成形により一体成形され、長さ方向に貫通する多数の中空部４が、板面と平行に並設されている。厚さは１０ｍｍである。木質板３は上面に木目を施した合板で、下面に、幅方向のスリット溝５が平均間隔１３ｍｍで設けられている。また、幅方向及び長さ方向の端面には接合凸部６及び接合凹部７が設けられている。木質板３の厚さは１２ｍｍ、スリット溝の深さは９ｍｍ、幅は１ｍｍである。
【００１４】
表１、表２は、実施例の床板材１と、スリット溝を有しない他は床板材１と同じ構成の比較例の遮音性能を比較したものである。遮音性能の測定は、ＪＩＳ−Ａ−１４４０に準拠し、建設省告示第１６５４号８−１（３）のロ２ｆに記載されている実験室で測定した。表１はＬＬ値（主に通常の生活音を基準とした軽量衝撃音で、実験室に設置したタッピングマシーンで発生させた衝撃音を階下の受音室で測定した値）に関し、実施例は比較例に比べて、特に中心周波数２５０Ｈｚ、５００Ｈｚ、１０００ＨＺにおいて、著しく優れた遮音性能を示している。表２はＬＨ値（子供の走り回る音、物を落としたときに生じる音など、特別な行動によって生じる重量衝撃音で、実験室に設置したバングマシーンで発生させた衝撃音を階下の受音室で測定した値）に関し、実施例は比較例に比べてやや優れた遮音性能を示している。
【００１５】
【表１】
2006009263.tif 000003
【００１６】
【表２】
2006009263.tif 000004
【００１７】
図３に示す実施例の床板材１’は、前記の床板材１の中空板材２の下面に厚さ２ｍｍのクッションシート８（発泡プラスチック製）を貼付したものである。クッションシートを貼付することで、コンクリートスラブなどの床本体表面に多少の凹凸が存在しても、クッションシートがこれを吸収し、施工能率がよくなり、仕上がりもきれいになる。また、断熱性能が向上する上に、クッションシートが床に発生する衝撃や振動を吸収するので、遮音性能もさらに向上する。
【００１８】
図４に示す実施例の床板材１”は、前記の床板材１’の木質板３と中空板材２の間に厚さ２ｍｍのクッションシート１４（発泡プラスチック製）を設けたものである。木質板３と中空板材２の間にクッション材を設けると、木質材３のスリット溝５による柔軟性が向上し、衝撃や振動をさらに吸収しやすくなり、遮音効果が向上する。
【００１９】
図５に示す床構造は、床本体９（コンクリートスラブ）の上に厚さ２ｍｍのクッションシート８、中空板材２、木質板３を順次接着して積層したものである。この床構造は、床本体９の上に前記の床板材１’を貼付することで容易に施工できるが、クッションシート８、中空板材２、木質板３を別々に施工することも可能である。
【００２０】
図５の中空板材１０は、前記中空板材２とは構成の異なる中空板材の例である。中空板材１０は、いわゆるハニカム状板材で、格子状のコア１２を上下から薄板１１でサンドイッチしたものである。コア１２に形成される中空部１３の平面形状は、この場合は四角形であるが、六角形など他の形状でもよい。また、本発明におけるハニカム状板材は、上側、下側又は上下双方の薄板が無いものも含まれる。
【図面の簡単な説明】
【００２１】
【図１】実施例の床板材１の斜視図である。
【図２】床板材１の長さ方向縦断面図である。
【図３】実施例の床板材１’の長さ方向縦断面図である。
【図４】実施例の床板材１”の長さ方向縦断面図である。
【図５】実施例の床構造の断面図である。
【図６】中空板材１０の一部切欠斜視図である。
【符号の説明】
【００２２】
１  床板材
２  中空板材
３  木質板
４  中空部
５  スリット溝
６  接合凸部
７  接合凹部
８  クッションシート
９  床本体
１０  中空板材
１１  薄板
１２  コア
１３  中空部
１４  クッションシート
【図１】
2006009263.tif 000005
【図２】
2006009263.tif 000006
【図３】
2006009263.tif 000007
【図４】
2006009263.tif 000008
【図５】
2006009263.tif 000009
【図６】
2006009263.tif 000010